(57)【要約】【課題】商品シミュレーションをコンピュータで行う場合に、商品シミュレーション結果として画面に表示される商品の実際のイメージを捉え易くすること。【解決手段】商品シミュレーションに用いるシステムであって、  商品シミュレーション結果の元となるオブジェクトの実世界での姿を表す有体物であって、ＲＦタグを有し、このＲＦタグは、このオブジェクトのデータを記憶していることを特徴とする有体物から、この有体物が実世界での姿を表すオブジェクトのデータを読み取ることにより、このオブジェクトを認識する機能と、  認識したオブジェクトに基づいて、商品の仕上りイメージを作成し、このイメージを、商品シミュレーション結果として表示する機能とを有することを特徴とする商品シミュレーションシステム。【選択図】なし【特許請求の範囲】
【請求項１】
商品シミュレーション結果の元となるオブジェクトの実世界での姿を表す有体物であって、ＲＦタグを有し、このＲＦタグは、このオブジェクトのデータを記憶していることを特徴とする有体物。
【請求項２】
商品シミュレーションに用いるシステムであって、
請求項１に記載の有体物のＲＦタグから、この有体物が実世界での姿を表すオブジェクトのデータを読み取ることにより、このオブジェクトを認識する機能と、
認識したオブジェクトに基づいて、商品の仕上りイメージを作成し、このイメージを、商品シミュレーション結果として表示する機能とを有することを特徴とする商品シミュレーションシステム。
【請求項３】
商品シミュレーションに用いるシステムが実行する方法であって、
請求項１に記載の有体物のＲＦタグから、この有体物が実世界での姿を表すオブジェクトのデータを読み取ることにより、このオブジェクトを認識する工程と、
認識したオブジェクトに基づいて、商品の仕上りイメージを作成し、このイメージを、商品シミュレーション結果として表示する工程とを含むことを特徴とする商品シミュレーション方法。
【発明の詳細な説明】
【技術分野】
【０００１】
本発明は、商品シミュレーションの技術に関する。
【背景技術】
【０００２】
一般に、商品シミュレーションをコンピュータで行う場合、仮想現実（画面上）だけで、それを行うことが多い。
【０００３】
例えば、自動車の色変えやオプションパーツ取付けのシミュレーションは、以下のような手順で行われる。
【０００４】
（１）ユーザは、シミュレーションオブジェクトとなる車種を画面上で選択する。
【０００５】
（２）ユーザは、ボディカラーを画面上で選択する。
【０００６】
（３）コンピュータは、商品シミュレーション結果として、選択された車種を、選択されたボディカラーで、画面に表示する。
【０００７】
（４）ユーザは、オプションパーツを画面上で選択する。
【０００８】
（５）コンピュータは、商品シミュレーション結果として、選択された車種に、選択されたオプションパーツを装備したものを、選択されたボディカラーで、画面に表示する。
【０００９】
このように、全ては画面上に表示される内容を元にシュミレーション結果を生成してゆくことになる。
【００１０】
商品シミュレーションを画面上だけで行うことは、家庭内などの実商品が無いところでのシミュレーションの場合には適しているが、ショールームのように、実商品がある場合、画面上に表示される商品と実商品との違いなどから逆にイメージを損ねる場合も考えられる。また、現実に何をどう選択してシミュレーションされたかイメージし難く、現実味が感じられないなどの非現実感が伴うことが多い。
【発明の開示】
【発明が解決しようとする課題】
【００１１】
本発明は斯かる背景技術に鑑みてなされたもので、商品シミュレーションをコンピュータで行う場合に、商品シミュレーション結果として画面に表示される商品の実際のイメージを捉え易くすることを課題とする。
【課題を解決するための手段】
【００１２】
本発明において上記課題を達成するために、まず請求項１の発明では、商品シミュレーション結果の元となるオブジェクトの実世界での姿を表す有体物であって、ＲＦタグを有し、このＲＦタグは、このオブジェクトのデータを記憶していることを特徴とする有体物。
【００１３】
また請求項２の発明では、商品シミュレーションに用いるシステムであって、
請求項１に記載の有体物のＲＦタグから、この有体物が実世界での姿を表すオブジェクトのデータを読み取ることにより、このオブジェクトを認識する機能と、
認識したオブジェクトに基づいて、商品の仕上りイメージを作成し、このイメージを、
商品シミュレーション結果として表示する機能とを有することを特徴とする商品シミュレーションシステムとしたものである。
【００１４】
また請求項３の発明では、商品シミュレーションに用いるシステムが実行する方法であって、
請求項１に記載の有体物のＲＦタグから、この有体物が実世界での姿を表すオブジェクトのデータを読み取ることにより、このオブジェクトを認識する工程と、
認識したオブジェクトに基づいて、商品の仕上りイメージを作成し、このイメージを、商品シミュレーション結果として表示する工程とを含むことを特徴とする商品シミュレーション方法としたものである。
【発明の効果】
【００１５】
請求項１の発明は、商品シミュレーションに用いるシステムに認識させたオブジェクトの実世界での姿を、この認識に用いた有体物から、正確かつ容易に知ることができるという効果がある。
【００１６】
請求項２の発明は、有体物が表すオブジェクトの実世界の姿から、このオブジェクトに基づいて作成された商品の仕上りイメージが、実際に、どのようなものになるかを正確かつ容易に知ることができるという効果がある。
【００１７】
以上、本発明は、商品シミュレーションをコンピュータで行う場合に、商品シミュレーション結果として画面に表示される商品の実際のイメージを捉え易くなるという効果がある。
【発明を実施するための最良の形態】
【００１８】
以下に、本発明の最良の一実施形態を説明する。
【００１９】
本実施形態では、任意のオブジェクトを、ある有体物で表し、有体物が表すオブジェクトを、ユーザが、コンピュータに認識させて、仮想現実（画面上）での商品シミュレーション結果に反映させる。
【００２０】
オブジェクトは、商品シミュレーション結果の元となるもので、例えば、商品、部品、色などがある。オブジェクトを表す有体物は、このオブジェクトの実世界での姿を表す実世界に存在する物である。例えば、商品を表す有体物には、商品の実物、商品の模型などがある。また例えば、部品を表す有体物には、部品の実物、部品の模型などがある。また例えば、色を表す有体物には、この色の塗料を板に塗ったカラー塗板などがある。
【００２１】
あるオブジェクトを表す有体物は、ＲＦタグを有し、このＲＦタグは、このオブジェクトのデータを記憶している。ここで、ＲＦタグは、ＩＣタグ、電子タグとも呼ばれ、メモリを内蔵したＩＣチップとアンテナとを備え、無線通信を利用して、このメモリにデータを書き込んだり、このメモリからデータを読み取ったりすることが可能なものである。
【００２２】
またコンピュータは、リーダを備える。コンピュータは、このリーダで、有体物のＲＦタグから、この有体物が表すオブジェクトのデータを読み取って、このオブジェクトを認識する。
【００２３】
コンピュータは、認識したオブジェクトに基づいて、商品の仕上りイメージを作成し、このイメージを、商品シミュレーション結果として、画面に表示する。
【００２４】
バーチャルリアリティーの技術を用いて、商品の仕上りイメージを、フォトリアルな（
写真のように現実味のある）３次元形状のイメージにし、また、自由なアングルでユーザの思いのままに表示できるようにする。
【００２５】
以下、本発明の実施例を、いくつか説明することで、本実施形態を詳細に説明する。
【実施例１】
【００２６】
実施例１の商品シミュレーションシステムは、図１に示すように、自動車ショールームのシミュレーションブースに配置されているディスプレイとパソコンとリーダと、サーバと、顧客の端末とを備え、ディスプレイとリーダとはパソコンに接続され、パソコンとサーバと端末とはネットワークに接続されているものである。
【００２７】
リーダは、図２に示すように、その上に、有体物を載せられる台であって、載せた有体物のＲＦタグから、この有体物が表すオブジェクトのデータを読み取って、パソコンに送る。図２では、自動車の模型、自動車の先頭部分の部品の模型、カラー塗板が、リーダに載せられている。
【００２８】
パソコンは、リーダから、オブジェクトのデータを受け取って、このオブジェクトを認識する。
【００２９】
顧客は、パソコンに認識させたいオブジェクトを表す有体物を、リーダの上に載せて、商品シミュレーションを行う。
【００３０】
パソコンは、各オブジェクトの形状・質感などのデータを保管しており、オブジェクトを認識したとき、認識したオブジェクトの形状・質感などのデータを参照して、商品の仕上りイメージを作成し、このイメージをディスプレイの画面に表示する。
【００３１】
図２に示す自動車の模型、部品の模型、カラー塗板から作成された商品の仕上りイメージを、図３に示す。図３に示す商品の仕上りイメージは、自動車の模型が表すこの自動車の先頭部分を、部品の模型が表すこの部品で置換え、カラー塗板が表す色で塗り替えたものである。
【００３２】
パソコンは、仕上りイメージを表示した商品の見積やスペック情報などの関連情報も、サーバから取得して、商品シミュレーション結果として、表示できる。
【００３３】
サーバは、スペック情報と、その他のコンテンツとを保管し、配信する。また、サーバは、各顧客の個人情報を保管する。また、サーバは、仕上がった商品の見積を行う。
【００３４】
またサーバは、パソコンが、商品シミュレーションの過程で、ディスプレイに何を表示したのかの履歴を取り、履歴情報を、この商品シミュレーションを行った顧客の個人情報と関係付けて保管する。
【００３５】
またサーバは、履歴情報に基づき、顧客の端末にて、この顧客が商品シミュレーションの過程でパソコンのディスプレイに表示させたもの（商品の仕上りイメージ、見積、スペック情報など）を、この顧客が任意に選んで、表示し、見直し、保存できるようにする。
【００３６】
顧客の端末は、顧客の自宅に置かれたパソコンなどのコンピュータ、或は、顧客が所持するＰＤＡ（Ｐｅｒｓｏｎａｌ  Ｄｉｇｉｔａｌ  Ａｓｓｉｓｔａｎｃｅ）などの携帯コンピュータ、又は、顧客が所持する携帯電話機などの携帯情報端末である。
【実施例２】
【００３７】
実施例２の商品シミュレーションシステムは、図４に示すように、実施例１のリーダを、携帯コンピュータに変えたものである。携帯コンピュータとしては、例えば、ＰＤＡが挙げられる。
【００３８】
携帯コンピュータは、リーダを備え、このリーダにより、有体物のＲＦタグから、この有体物が表すオブジェクトのデータを読み取って記憶する機能を有する。
【００３９】
また携帯コンピュータは、記憶しているデータを、パソコンに転送する機能を有する。
【００４０】
顧客は、携帯コンピュータを持って、自動車ショールームを歩き回り、携帯コンピュータのリーダで、展示してある有体物のＲＦタグから、この有体物が表すオブジェクトのデータを読み取り、このオブジェクトのデータを携帯コンピュータに蓄積して行く。展示してある有体物には、自動車の実物、部品の実物、カラー塗板などがある。
【００４１】
携帯コンピュータに蓄積された各オブジェクトのデータが、パソコンに転送されると、パソコンは、これら各オブジェクトを認識する。
【００４２】
パソコンは、各オブジェクトの形状・質感などのデータを保管しており、オブジェクトを認識したとき、認識したオブジェクトの形状・質感などのデータを参照して、商品の仕上りイメージを作成し、このイメージをディスプレイの画面に表示する。
【００４３】
パソコンは、仕上りイメージを表示した商品の見積やスペック情報などの関連情報も、サーバから取得して、商品シミュレーション結果として、表示できる。
【００４４】
サーバは、スペック情報と、その他のコンテンツとを保管し、配信する。また、サーバは、各顧客の個人情報を保管する。また、サーバは、仕上がった商品の見積を行う。
【００４５】
またサーバは、パソコンが、商品シミュレーションの過程で、ディスプレイに何を表示したのかの履歴を取り、履歴情報を、この商品シミュレーションを行った顧客の個人情報と関係付けて保管する。
【００４６】
またサーバは、履歴情報に基づき、顧客の端末にて、この顧客が商品シミュレーションの過程でパソコンのディスプレイに表示させたもの（商品の仕上りイメージ、見積、スペック情報など）を、この顧客が任意に選んで、表示し、見直し、保存できるようにする。
【００４７】
顧客の端末は、顧客の自宅に置かれたパソコンなどのコンピュータ、或は、顧客が所持するＰＤＡ（Ｐｅｒｓｏｎａｌ  Ｄｉｇｉｔａｌ  Ａｓｓｉｓｔａｎｃｅ）などの携帯コンピュータ、又は、顧客が所持する携帯電話機などの携帯情報端末である。
【実施例３】
【００４８】
実施例３の商品シミュレーションシステムは、図５に示すように、実施例１のディスプレイとパソコンとリーダとを、携帯コンピュータに置換えたものである。携帯コンピュータとしては、例えば、ＰＤＡが挙げられる。
【００４９】
携帯コンピュータは、リーダを備え、このリーダにより、有体物のＲＦタグから、この有体物が表すオブジェクトのデータを読み取って、このオブジェクトを認識する。
【００５０】
顧客は、携帯コンピュータを持って、自動車ショールームを歩き回り、携帯コンピュータのリーダで、展示してある有体物のＲＦタグから、この有体物が表すオブジェクトのデータを読み取り、このオブジェクトを携帯コンピュータに認識させる。展示してある有体
物には、自動車の実物、部品の実物、カラー塗板などがある。
【００５１】
携帯コンピュータは、各オブジェクトの形状・質感などのデータを保管しており、オブジェクトを認識したとき、認識したオブジェクトの形状・質感などのデータを参照して、商品の仕上りイメージを作成し、このイメージを画面に表示する。
【００５２】
携帯コンピュータは、仕上りイメージを表示した商品の見積やスペック情報などの関連情報も、サーバから取得して、商品シミュレーション結果として、表示できる。
【００５３】
サーバは、スペック情報と、その他のコンテンツとを保管し、配信する。また、サーバは、各顧客の個人情報を保管する。また、サーバは、仕上がった商品の見積を行う。
【００５４】
またサーバは、携帯コンピュータが、商品シミュレーションの過程で、ディスプレイに何を表示したのかの履歴を取り、履歴情報を、この商品シミュレーションを行った顧客の個人情報と関係付けて保管する。
【００５５】
またサーバは、履歴情報に基づき、顧客の端末にて、この顧客が商品シミュレーションの過程で携帯コンピュータの画面に表示させたもの（商品の仕上りイメージ、見積、スペック情報など）を、この顧客が任意に選んで、表示し、見直し、保存できるようにする。
【００５６】
顧客の端末は、顧客の自宅に置かれたパソコンなどのコンピュータ、或は、顧客が所持するＰＤＡ（Ｐｅｒｓｏｎａｌ  Ｄｉｇｉｔａｌ  Ａｓｓｉｓｔａｎｃｅ）などの携帯コンピュータ、又は、顧客が所持する携帯電話機などの携帯情報端末である。
【実施例４】
【００５７】
実施例４の商品シミュレーションシステムは、図６に示すように、住宅ショールームのシミュレーションブースに配置されているディスプレイとパソコンと、住宅ショールームで顧客が持ち運ぶ携帯コンピュータと、サーバと、顧客の端末とを備え、ディスプレイはパソコンに接続され、パソコンとサーバと端末とはネットワークに接続されているものである。
【００５８】
住宅ショールームには、洗面台、システムキッチン、照明器具などの住宅設備商品の実物が展示されている。住宅設備商品は、ＲＦタグを有し、このＲＦタグは、この住宅設備商品のデータを記憶している。
【００５９】
携帯コンピュータは、リーダを備え、このリーダにより、住宅設備商品のＲＦタグから、この住宅設備商品のデータを読み取って記憶する機能を有する。
【００６０】
また携帯コンピュータは、記憶しているデータを、パソコンに転送する機能を有する。
【００６１】
顧客は、携帯コンピュータを持って、住宅ショールームを歩き回り、携帯コンピュータのリーダで、展示してある住宅設備商品のＲＦタグから、この住宅設備商品のデータを読み取り、この住宅設備商品のデータを携帯コンピュータに蓄積して行く。
【００６２】
携帯コンピュータに蓄積された各住宅設備商品のデータが、パソコンに転送されると、パソコンは、これら各住宅設備商品を認識する。
【００６３】
パソコンは、各住宅設備商品の形状・質感などのデータを保管しており、住宅設備商品を認識したとき、認識した住宅設備商品の形状・質感などのデータを参照して、住宅の部屋などに配置された住宅設備商品の仕上りイメージを作成し、このイメージをディスプレ
イの画面に表示する。
【００６４】
パソコンは、住宅の部屋などに配置された住宅設備商品の見積やスペック情報などの関連情報も、サーバから取得して、商品シミュレーション結果として、表示できる。
【００６５】
サーバは、スペック情報と、その他のコンテンツとを保管し、配信する。また、サーバは、各顧客の個人情報を保管する。また、サーバは、住宅の部屋などに配置された住宅設備商品の見積を行う。
【００６６】
またサーバは、パソコンが、商品シミュレーションの過程で、ディスプレイに何を表示したのかの履歴を取り、履歴情報を、この商品シミュレーションを行った顧客の個人情報と関係付けて保管する。
【００６７】
またサーバは、履歴情報に基づき、顧客の端末にて、この顧客が商品シミュレーションの過程でパソコンのディスプレイに表示させたもの（住宅の部屋などに配置された住宅設備商品の仕上りイメージ、見積、スペック情報など）を、この顧客が任意に選んで、表示し、見直し、保存できるようにする。
【００６８】
顧客の端末は、顧客の自宅に置かれたパソコンなどのコンピュータ、或は、顧客が所持するＰＤＡ（Ｐｅｒｓｏｎａｌ  Ｄｉｇｉｔａｌ  Ａｓｓｉｓｔａｎｃｅ）などの携帯コンピュータ、又は、顧客が所持する携帯電話機などの携帯情報端末である。
【図面の簡単な説明】
【００６９】
【図１】実施例１の商品シミュレーションシステムの構成を例示する図。
【図２】実施例１のリーダを例示する図。
【図３】商品の仕上りイメージを例示する図。
【図４】実施例２の商品シミュレーションシステムの構成を例示する図。
【図５】実施例３の商品シミュレーションシステムの構成を例示する図。
【図６】実施例４の商品シミュレーションシステムの構成を例示する図。
【図１】
2005352828.tif 000002
【図２】
2005352828.tif 000003
【図３】
2005352828.tif 000004
【図４】
2005352828.tif 000005
【図５】
2005352828.tif 000006
【図６】
2005352828.tif 000007